(57)【要約】【課題】移動端末と固定端末を有する通信システムに関し、転送先の固定端末の電話番号が不明であっても、移動端末から所望の固定端末へ通信呼を転送できるようにする。【解決手段】通話中に移動端末から位置情報を含む転送要求を行い、これを受けたネットワークが、該位置情報が示す位置に、例えば最も近い固定端末にその通信呼を転送する。【選択図】      図２
2004282629.tif 000002
【特許請求の範囲】
【請求項１】
通話中に位置情報を含む転送要求を行う移動端末と、
該位置情報が示す位置に対応した固定端末にその通信呼を転送するネットワークと、
を備えたことを特徴とする通信システム。
【請求項２】
請求項１において、
該位置情報が、該移動端末自体が検出した位置情報又はユーザが指定した位置情報であることを特徴とした通信システム。
【請求項３】
請求項１又は２において、
該ネットワークが、一般公衆電話網又は移動体通信網であることを特徴とした通信システム。
【発明の詳細な説明】
【０００１】
【発明の属する技術分野】
本発明は通信システムに関し、特に通話中の移動端末から固定端末へ通信呼の転送を行う通信システムに関するものである。
近年、携帯電話をはじめとする移動体通信市場は飛躍的に発展し、今後とも加入者数の増加が見込まれている。
【０００２】
しかしながら、移動体通信市場が飛躍的に発展している反面、一般公衆電話網における固定端末（固定電話機）の加入者数は停滞傾向にあり、さらに固定端末の普及以前に通信手段の中心であった街頭設置型の公衆電話機においては、その存在意義さえも薄れつつある。
【０００３】
一方、通信網が発達していない地域においては、より早く、より安く、より簡単に固定端末を設置するために、ＷＬＬ（Ｗｉｒｅｌｅｓｓ  Ｌｏｃａｌ  Ｌｏｏｐ）システムが利用されている。
このＷＬＬシステムは、移動体通信網を使用して固定端末との間を無線回線で接続し、以て従来の一般公衆電話網における固定端末間通信と同等の機能を提供するシステムである。通常、このＷＬＬシステムにおける固定端末には、半永久的な電源供給が行われる。
【０００４】
【従来の技術】
図９は従来の通信システムを示しており、この通信システムは、移動端末１と移動体通信網２と一般公衆電話網３と固定端末４とで構成されている。
また、移動体通信網２は、移動端末１と無線回線で接続される基地局２１と、この基地局２１に縦続接続された移動交換局２２及び中継交換局２３を含んでいる。そして、これらの交換局２２及び２３には加入者データベース２３が接続され、さらに移動交換局２２にはアナウンス装置２４が接続されるようになっている。
【０００５】
さらに一般公衆電話網３は、移動体通信網２の中継交換局２３と有線回線で接続された中継交換局３１と、この中継交換局３１及び固定端末４の間に接続された加入者交換局３２とを含んでいる。
また、この一般公衆電話網３は、これらの交換局３１及び３２に接続される加入者データベース３３と、加入者交換局３２に接続されるアナウンス装置３４をさらに含んでいる。
【０００６】
この通信システムでは、移動体通信網２に接続された移動端末１は携帯性を重視するため、容量に限りのある電池を使用し、また基地局２１までの通信媒体として無線回線を使用しているため、電池容量の消耗や通信品質の劣化による通信呼の切断が発生し得る。
【０００７】
一方、一般公衆電話網３における固定端末４は、携帯性が無く、或る位置に固定して使用されるため、加入者交換局３２までの通信媒体として通信品質の劣化が少ない有線回線を使用でき、また電話線により半永久的に電源供給されるため通信時間を気にする必要もないものである。
【０００８】
そして、移動体通信網２における加入者データベース２３、及び一般公衆電話網３における加入者データベース３３は、いずれも各加入者に対して、その電話番号と、アイドルか通信中であるかを示す状態、設置場所を示す位置情報、通信時間や課金料金を示す課金情報、現在の通信が転送されたか否かを示す転送元情報等を記憶するためのテーブルで構成されている。
【０００９】
したがって、移動体通信網２と一般公衆電話網３とが相互の中継交換局２３及び３１を介して接続されることにより、移動端末１への通信呼を適宜固定端末４へ転送することができるようになっている。
このような従来の通信システムの具体的な転送動作を図１０に示すフローチャート及び図１１に示すシーケンスに基づいて以下に説明する。
【００１０】
このシステムにおいては、上述したように移動端末１において、電池容量の消耗や通信品質の劣化による通信呼の切断を回避するため、移動端末１から固定端末４へ通信呼の転送を行うものであり、このとき、電話番号に基づいた転送が行われるが、これは一般公衆電話網で行われる固定端末から固定端末への転送手順と同様である。
【００１１】
今、移動端末１が端末Ａと通話中であるとする（図１０及び図１１のステップＳ７１）。この場合の端末Ａは、図示されておらず、移動端末又は固定端末のいずれでもよい。
この後、通話中の転送元端末である移動端末１がフッキングを行った後（図１０のステップＳ７２）、移動端末１のユーザが、転送要求として転送希望の固定端末４の電話番号を押下する（図１０及び図１１のステップＳ７３）。この後、端末Ａを保留状態にする（図１１のステップＳ９２）とともに、固定端末４の状態を確認する（図１０のステップＳ７４）。
【００１２】
これは、一般公衆電話網３の加入者データベース３３に関し、移動交換局２２が中継交換局３１や加入者交換局３２に問い合わせることにより実行することができる。
この結果、転送可能であるか否かを判定し（図１０のステップＳ７５）、もし転送可能であれば上記の電話番号に基づき固定端末４までの経路を設定する（図１０のステップＳ７６）。
【００１３】
そして、移動体通信網２における移動交換局２２から中継交換局２３を経て一般公衆網３における中継交換局３３及び加入者交換局３２に対して呼出しを行い（図１１のステップＳ９３）、加入者交換局３２がさらに固定端末４に対して呼出しを行う（同ステップＳ９４）。
【００１４】
この呼出しを受けて、固定端末４がオフフックされると（図１０のステップＳ７７）、その応答信号が加入者交換局３２及び中継交換局３１へ送られ（図１１のステップＳ９５）、さらに移動体通信網２の中継交換局２３及び移動交換局２２へ送られる（同ステップＳ９６）。
【００１５】
これにより、転送元の移動端末１と転送先の固定端末４との通話が可能となり（図１０及び図１１のステップＳ７８）、さらに移動端末１が切断要求としてオンフックすると（図１０のステップＳ７９）、交換局２２，２３より切断応答が返され（図１１のステップＳ９７）、保留中の端末Ａと転送先の固定端末４との通話が可能となり通信呼の転送が完了する（図１０のステップＳ８０）。
【００１６】
一方、図１０のステップＳ７５において、転送可能でないことが分かったときには、移動端末１に転送ができない旨を移動体通信網２におけるアナウンス装置２４から移動端末１に対して通知することにより（同ステップＳ８１）、移動端末１が再度フッキングを行うと（同ステップＳ８２）、転送が中止され、端末Ａと移動端末１との通話に戻ることとなる（同ステップＳ８３）。
【００１７】
その他、着呼側から発呼側の位置情報を把握するため、着呼側が転送を予め定めた転送先に呼転送要求を行う移動通信交換機が提案されている（例えば、特許文献１参照。）。
さらに、移動端末へ着呼するときに、予め設定しておいた条件（移動端末の位置や着信時の曜日、時間など）に応じて転送する移動体着信転送方式も提案されている（例えば、特許文献２参照。）。
【００１８】
さらに、移動端末に対し、現在の位置情報を電子地図と結合して提供することにより、その電子地図に位置する施設物等を選択して電話を掛けることができるようにした無線ネットワーク装置及びその方法も提案されている（例えば、特許文献３参照。）。
【００１９】
【特許文献１】
特開２００１−１９７５３５号公報（第２頁右欄、図１）
【００２０】
【特許文献２】
特開平８−１６３６４０号公報（要約、図１）
【００２１】
【特許文献３】
特開２００１−３３７８７９号公報（第３頁右欄、図１）
【００２２】
【発明が解決しようとする課題】
このように、移動端末と固定端末を有する従来の通信システムにおいては、移動端末において電池容量の消耗や通信品質の劣化による通信の切断を回避するため、移動端末から固定端末へ通信呼の転送を行うことが可能である。
【００２３】
しかしながら、このように従来の電話番号に基づく転送方法では、近くに固定端末が存在してもその電話番号が不明であれば転送することができない。例えば、街中において、移動端末での通話中に近くの街頭設置型の公衆電話機に転送したくても、その電話番号が不明のため転送することができないことになる。
【００２４】
したがって本発明は、移動端末と固定端末を有する通信システムにおいて、転送先の固定端末の電話番号が不明であっても、移動端末から所望の固定端末へ通信呼を転送できるようにすることを目的とする。
【００２５】
【課題を解決するための手段】
上記の目的を達成するため、本発明に係る通信システムは、通話中に位置情報を含む転送要求を行う移動端末と、該位置情報が示す位置に対応した固定端末にその通信呼を転送するネットワークと、を備えたことを特徴としている。
【００２６】
すなわち本発明では、移動端末からの位置情報を利用してネットワークが近くの固定端末に通信呼の転送を行うものである。
このときの位置情報は、ＧＰＳ等により、移動体自体が検出した位置情報でもよく、或いはユーザが指定した位置情報、例えば住所等でもよい。
【００２７】
通常、移動端末自体が検出した位置情報は現在の位置情報となり、ユーザが指定した位置情報は現在の位置情報、又は現在の位置とは関係のない位置情報となる場合もある。
また、この場合のネットワークとは、一般公衆電話網又は移動体通信網であり、固定端末はこれらの電話網や通信網に接続されているものである。
【００２８】
そして、固定端末を許容する電話網又は通信網においては、加入者データベースに固定端末の電話番号と位置情報を含むことができるため、移動端末からの位置情報と比較することにより近くの固定端末を検索することができる。このとき、より近くの固定端末を検索するために、固定端末の位置情報もＧＰＳ（Ｇｌｏｂａｌ  Ｐｏｓｉｔｉｏｎｉｎｇ  Ｓｙｓｔｅｍｓ）衛星から受信する電波を用いて計測することが望ましい。
【００２９】
さらには、一般公衆電話網では、検索された固定端末の電話番号に従い、転送先までの経路設定を行うことができる。
このようにして転送先の電話番号が不明であっても、移動端末から希望の固定端末への転送を実現することが可能である。
【００３０】
上記の転送要求には、さらに該固定端末までの許容距離又は移動端末からの要求の際に転送処理を開始するまでの時間を含み、該ネットワークは、該許容距離又は移動端末からの要求の際に転送処理を開始するまでの時間の範囲内で対応する固定端末を決定することもできる。
【００３１】
また、上記のネットワークは、該固定端末までの地図を該移動端末へ配布することもできる。
また、上記のネットワークは、該固定端末が見つからないとき又は転送できないとき、該移動端末にその旨を通知し、該移動端末はこれを受けて転送取消要求を該ネットワークに送ることも可能である。
【００３２】
さらに上記のネットワークは、該固定端末で生じた課金を該移動端末に対して行うこともできる。
さらに上記のネットワークは、固定端末の位置情報を含むテーブルを有し、このテーブルに基づき該移動端末から受信した位置情報に最も近い固定端末を決定することができる。
【００３３】
【発明の実施の形態】
図１は、移動端末と固定端末を有する本発明に係る通信システムの一実施例を示したものである。この実施例と、図９に示した従来の構成例との差異は、移動体通信網２において移動交換局２２に接続される地図提供装置２５を設けた点と、一般公衆電話網３において中継交換局３１及び加入者データベース３３に接続される検索装置３５を設けた点である。
【００３４】
この図１に示した実施例の転送動作を、図２に示した転送手順のフローチャート及び図３〜図５に示したシーケンス図を参照して以下に説明する。
まず、図１０に示した従来の転送手順におけるステップＳ７１と同様に、今、或る端末Ａ（図示せず。また、移動端末又は固定端末であるかを問わない。）と移動端末１とが通話しているものとする（図２のステップ１）。
【００３５】
そして、移動端末１から固定端末４への通信呼の転送は、まず移動端末１が位置情報を含む転送要求を送信することから始まる（図２及び図３のステップＳ２）。このとき位置情報に加えて転送希望の固定端末までの許容距離又は時間を含ませてもよい。
【００３６】
このとき、端末Ａを保留状態とする（図３のステップＳ２１）。
転送要求は移動交換局２２及び中継交換局２３から一般公衆電話網３の中継交換局３１を経由して検索装置３５に送られると（図３のステップＳ２２）、検索装置３５は送られて来た位置情報と加入者データベース３３の固定端末４の位置情報とを比較し、例えば最も近くの固定端末４を選択する（図２のステップＳ３）。この場合、上記の許容距離又は移動端末からの要求の際に転送処理を開始するまでの時間を加味してもよい。
【００３７】
そして、もし選択可能な固定端末４が存在すれば、その固定端末４の状態（通話中の有無）を加入者データベース３３で確認し（同ステップＳ５）、転送可能であれば、検索装置３５は移動体交換網２における中継交換局２３及び移動交換局２２に対し転送応答（転送可能であること、並びに固定端末４の電話番号及び位置情報）を送り、これに応答して、これらの交換局２２及び２３は転送元の移動端末１に対して移動体通信網２に設けられた地図提供装置２５から固定端末４までの地図を配信する（図２及び図３のステップＳ７）。
【００３８】
また、転送先の固定端末４に対しては、その電話番号に基づいた従来の転送手順と同様に経路設定がなされる（図２のステップＳ８）。
すなわち、図３に示すように、移動体交換網２から一般公衆電話網３に対して呼出し（ステップＳ２３）を行うと、この一般公衆電話網３から固定端末４に対して呼出し（ステップＳ２４）を行い、これに応答して固定端末４においてオフフックされると（図２のステップＳ９）、その応答（ステップＳ２５）が一般公衆電話網３に与えられ、さらに、この一般公衆電話網３から移動体通信網２に対して応答（ステップＳ２６）が与えられると、移動端末１と固定端末４とが通話状態となる（図２及び図３のステップＳ１０）。
【００３９】
この後、移動端末１がオンフックすると（図２のステップＳ１１）、移動端末１から移動体通信網２に対して切断要求（同ステップＳ２７）が与えられるので、移動体通信網２における移動交換局２２及び中継交換局２３により切断応答（同ステップＳ２８）がなされ、端末Ａと固定端末４とが通話状態となる（図２及び図３のステップＳ１２）。
【００４０】
以上の記述は、図３に示したように通信呼の転送が成功した例を述べたものであるが、図２に示したステップＳ４において固定端末４が選択可能でない場合、すなわち失敗した例のシーケンスが図４に示されている。
すなわち、移動体通信網２から一般公衆電話網３に対して転送の問合せを行ったとき（図４のステップＳ２２）、一般公衆電話網３は固定端末４が例えば話中で転送不可な状態であれば、その旨応答し（同ステップＳ２３）、これを受けて移動体通信網２は移動端末１に対しアナウンス装置２４が転送不可を通知する（図２及び図４のステップＳ１３）。
【００４１】
或いは、転送可能な固定端末が存在していても、上述した許容距離を満たしていなければ同様に転送不可の通知がなされる。
これに応答して移動端末１は転送取り消し要求を送信し（同ステップＳ１４）、移動端末１と端末Ａとの通話に戻ることとなる（同ステップＳ１５）。
【００４２】
図５及び図６は、転送先の固定端末４からの切断シーケンスを示しており、特に切断時に課金情報を転送先から転送元に送るシーケンスを示している。
まず、転送先の固定端末４で生じた課金を転送元の移動端末１に対して行うためには、移動端末１から固定端末４に転送を行う際、転送先の固定端末４の加入者データベース３３に転送元情報を記憶しておく（図６のステップＳ６１）。
【００４３】
そして、今、ステップＳ１２に示すように転送先の固定端末４と端末Ａとが通話中であり、その後、通話が終了して固定端末４がオンフックすると（図６のステップＳ６２）、固定端末４から切断要求（図５のステップＳ３１）が一般公衆電話網３に与えられ、これに応答して一般公衆電話網３から移動体通信網２に切断要求（同ステップＳ３２）が送られる。
【００４４】
これに応答して移動体通信網２は切断応答（同ステップＳ３３）を介し、これが一般公衆電話網３から固定端末４に切断応答（同ステップＳ３４）として与えられるので、このとき、転送先の固定端末４の加入者データベース３３に転送元情報が書き込まれていれば（図６の同ステップＳ６３）、この課金情報を転送元の移動端末１の加入者データベース２３に転送する（同ステップＳ６４）。
【００４５】
図７は、図１に示した本発明に係る通信システムに用いられる移動端末の一実施例を示したもので、この実施例では、データ送受信部１１とＧＰＳ受信部１２と制御部１３と記憶部１４とマイク部１５とスピーカ部１６とキー入力部１７と画面表示部１８とで構成されており、画面表示部１８の一例が図８に示されている。
【００４６】
まず、この移動端末１が待ち受け状態のとき、ユーザは、キー入力部１７及び画面表示部１８を使用して転送設定や通知設定等の転送サービス設定を行うことができる。
この場合の転送サービス設定画面が図８（１）に示されており、この画面は待ち受け画面（同図（４））より移行したものである（同図のステップＳ４５，  Ｓ４６）。また、この転送サービス設定画面では、転送設定や通知設定が選択できるようになっており、例えば、転送設定をキー入力部１７により選択すると（同図のステップＳ４１）、同図（２）に示す転送設定画面へ遷移する。
【００４７】
この転送設定画面では、移動端末１からの転送要求の際に使用される位置情報と転送先となる固定端末４までの許容距離や転送処理を開始するまでの時間等を設定できるようになっており、“戻る”又は“確定”をキー入力部１７により選択すると（同ステップＳ４２）、同図（１）の転送サービス設定画面に戻る。
【００４８】
一方、通知設定を選択すると（同ステップＳ４３）、同図（３）に示す通知設定画面へ遷移する。この通知設定画面では、移動端末１から通信呼の転送案内をユーザに通知する際に使用される電池容量や電波強度等の閾値等を設定することができる。この場合も“戻る”又は“確定”をキー入力部１７により選択すると（同ステップＳ４４）、同図（１）の転送サービス設定画面に戻る。
【００４９】
なお、これらの転送サービス設定は記憶部１４に保持される。
移動端末１が通話中のとき、ユーザはキー入力部１７及び画面表示部１８を使用して転送要求を行うことができる。すなわち、同図（４）の待ち受け画面から通話時（同ステップＳ４７）に遷移したときの同図（５）に示す通話中画面において“転送”をキー入力部１７により選択すると（同ステップＳ５１）、移動端末１のキー入力部１７から転送要求指示が制御部１３に与えられ、この転送要求指示を受信すると制御部１３は、ＧＰＳ受信部１２からの位置情報信号に基づき現在の位置を計算する。
【００５０】
そして、この位置情報及び記憶部１４に記憶されている転送サービス設定を含む転送要求信号をデータ送受信部１１に送信する。データ送受信部１１では、この転送要求信号を無線区間信号に変換し、ネットワーク側に送信する。
ユーザによる転送要求は、同図（６）に示す通知画面においても行うことができる。すなわち移動端末１が通話中のとき（同図（５））、制御部１３が記憶部１４に記憶された通知設定を満たす状況であると判断した場合（同ステップＳ４９）、画面表示部１８を同図（５）に示す通話中画面から同図（６）に示す通知画面に遷移させる。この通知画面では転送を促す案内が、電波強度表示ＤＰ１及び電池残量表示ＤＰ５と共に表示される。また、スピーカ部１６からも同様の案内が行われる。なお、電波強度表示ＤＰ１及び電池残量表示ＤＰ５はどの画面においても表示してよい。
【００５１】
通知画面において、“転送”ボタンを選択すると（同ステップＳ５０）、同様の転送要求信号が移動端末１から送信される。
さらに、転送先となる固定端末４が決定したときには、そこまでの地図がネットワーク側より転送される。データ送受信部１１は受信した無線区間信号を有線区間信号に変換し、制御部１３に送信すると、制御部１３では、受信した有線区間信号を画像データに変換し、画面表示部１８において、同図（７）に示す転送先情報画面を表示する。この転送先情報画面には、現在地と転送地を含む地図が表示されることとなる。
【００５２】
なお、同図（５）の通話中画面からキー入力部１７により“転送”を選択することによっても同図（７）の転送先情報画面に移行することができる。
（付記１）
通話中に位置情報を含む転送要求を行う移動端末と、
該位置情報が示す位置に対応した固定端末にその通信呼を転送するネットワークと、
を備えたことを特徴とする通信システム。
（付記２）付記１において、
該位置情報が、該移動端末自体が検出した位置情報又はユーザが指定した位置情報であることを特徴とした通信システム。
（付記３）付記１において、
該転送要求が、さらに該固定端末までの許容距離又は移動端末からの要求の際に転送処理を開始するまでの時間を含み、該ネットワークは、該許容距離又は移動端末からの要求の際に転送処理を開始するまでの時間の範囲内で対応する固定端末を決定することを特徴とした通信システム。
（付記４）付記１において、
該ネットワークは、該固定端末までの地図を該移動端末へ配布することを特徴とした通信システム。
（付記５）付記１又は４において、
該ネットワークは、該固定端末が見つからないとき又は転送できないとき、該移動端末にその旨を通知し、該移動端末はこれを受けて転送取消要求を該ネットワークに送ることを特徴とした通信システム。
（付記６）付記１において、
該ネットワークは、該固定端末で生じた課金を該移動端末に対して行うことを特徴とした通信システム。
（付記７）付記１から６のいずれか１つにおいて、
該移動端末が、ＧＰＳにより該位置情報を生成する手段を備えたことを特徴とした通信システム。
（付記８）付記１から７のいずれか１つにおいて、
該ネットワークが該固定端末の位置情報をＧＰＳにより予め測定し、加入者データベースに記録しておくことを特徴とした通信システム。
（付記９）付記１から８のいずれか１つにおいて、
該ネットワークが、固定端末の位置情報を含むテーブルを有し、このテーブルに基づき、該移動端末から受信した位置情報に最も近い固定端末を決定することを特徴とした通信システム。
（付記１０）付記１から９のいずれか１つにおいて、
該ネットワークが、一般公衆電話網又は移動体通信網であることを特徴とした通信システム。
【００５３】
【発明の効果】
以上説明したように本発明に係る通信システムによれば、通話中に移動端末から位置情報を含む転送要求を行い、これを受けたネットワークが、該位置情報が示す位置に対応した固定端末にその通信呼を転送するように構成したので、移動端末での通信中において、電池容量の消耗や通信品質の劣化による切断を回避し、継続した通信を実現することができると共に、既存の加入者データベースにおける位置情報に基づくシステムであるため、街頭設置型の公衆電話機等の電話番号が不明な固定端末への転送を、新たな加入者データベースを設けずに行うことが可能となる。
【００５４】
さらには、街頭設置型の公衆電話機を使用したいがテレホンカードや小銭が手元にない場合に、一度移動端末にて通信し、その後、移動設置型の公衆電話機に転送することにより、その使用も可能となる。
【図面の簡単な説明】
【図１】本発明に係る通信システムの一実施例を示したブロック図である。
【図２】本発明による通信呼の転送手順を示したフローチャート図である。
【図３】図２に示した転送手順において転送が成功した場合のシーケンス図である。
【図４】図２に示した転送手順において転送が失敗した場合のシーケンス図である。
【図５】本発明において位置情報に基づく新規の切断シーケンス図である。
【図６】図５に示すシーケンスにおいて課金を行うときのフローチャート図である。
【図７】本発明に係る通信システムに使用される移動端末の一実施例を示したブロック図である。
【図８】図７に示した移動端末における画面表示部の画面遷移を示した図である。
【図９】従来の通信システムの構成例を示したブロック図である。
【図１０】図９に示す従来例における通信呼の転送手順を示したフローチャート図である。
【図１１】図１０に示した転送手順をシーケンスで示した図である。
【符号の説明】
１  移動端末
２  移動体通信網
３  一般公衆電話網
４  固定端末
２１  基地局
２２  移動交換局
２３，３１  中継交換局
２４，３４  アナウンス装置
２５  地図提供装置
２６，３３  加入者データベース
３２  加入者交換局
３５  検索装置
１１  データ送受信部
１２  ＧＰＳ受信部
１３  制御部
１４  記憶部
１５  マイク部
１６  スピーカ部
１７  キー入力部
１８  画面表示部
図中、同一符号は同一又は相当部分を示す。
【図１】
2004282629.tif 000003
【図２】
2004282629.tif 000004
【図３】
2004282629.tif 000005
【図４】
2004282629.tif 000006
【図５】
2004282629.tif 000007
【図６】
2004282629.tif 000008
【図７】
2004282629.tif 000009
【図８】
2004282629.tif 000010
【図９】
2004282629.tif 000011
【図１０】
2004282629.tif 000012
【図１１】
2004282629.tif 000013